(57)【要約】【課題】回線二重化ＧＥ−ＰＯＮシステムに関し、親局装置と子局装置との間を２つの通信回線で接続し、一方の回線が通信劣化したとき、他方の回線による通信を可能にし、それらの切り替え処理を簡易な手段で実現する。【解決手段】ＧＥＰＯＮ親局装置１−２は、上位スイッチ装置１−１を介してバックボーンに接続され、複数のインタフェースボード（ＰＩＦ＃１，ＰＩＦ＃２，・・・）を実装し、光ファイバケーブル１−３、フォトカプラ１−４を介して、複数の加入者側のＧＥＰＯＮ子局装置１−５と、正常時使用回線及び異常時使用回線用により接続する。正常時使用回線の品質が劣化したことを親局装置１−２又は子局装置１−５で検出すると、使用回線を異常時使用回線用に物理的に切り替え、子局装置１−５の下位側装置のＭＡＣアドレスを送信元アドレスとするフレーム信号を上位スイッチ装置１−１に送信してＭＡＣアドレスを学習させる。【選択図】図１
2008227782.tif 000002
【特許請求の範囲】
【請求項１】
１つの親局装置と複数の子局装置とを、複数の光ファイバケーブル及びフォトカプラを用いた通信回線により接続したＧＥ−ＰＯＮシステムにおいて、
前記親局装置と少なくとも１つの前記子局装置とを、正常時使用回線及び異常時使用回線の２つの通信回線で接続し、
前記２つの通信回線で親局装置と接続された子局装置は、前記正常時使用回線に接続された正常時送受信部と、前記異常時使用回線に接続された異常時送受信部を備え、
前記正常時送受信部及び異常時送受信部は、前記親局装置から送信された下り方向信号の信号劣化検出を行う信号受信劣化検出部を有し、
前記正常時送受信部の信号受信劣化検出部から入力される信号受信劣化検出状況を基に、使用回線を切り替える系選択信号を出力すると共に、前記親局装置の上位スイッチ装置に、自装置の下位側装置のＭＡＣアドレスを送信元アドレスとしたフレーム信号を送信する共通部を備え、
前記共通部から出力される系選択信号により、ユーザインタフェースから入力されるフレーム信号を前記正常時送受信部又は異常時送受信部の何れか一方の送信部に出力する送受信系選択スイッチ部を備えたことを特徴とする回線二重化ＧＥ−ＰＯＮシステム。
【請求項２】
１つの親局装置と複数の子局装置とを、複数の光ファイバケーブル及びフォトカプラを用いた通信回線により接続したＧＥ−ＰＯＮシステムにおいて、
前記親局装置と少なくとも１つの前記子局装置とを、正常時使用回線及び異常時使用回線の２つの通信回線で接続し、
前記２つの通信回線で１つの子局装置と接続された親局装置は、前記正常時使用回線及び異常時使用回線に接続された第１及び第２のインタフェースボードを備え、
前記第１及び第２のインタフェースボードは、前記子局装置から送信された上り方向信号の信号劣化検出を行う信号劣化検出部及び共通部をそれぞれ有し、
前記信号劣化検出部から入力される信号受信劣化検出状況を基に、前記第１及び第２のインタフェースボードに対して、使用回線を正常時使用回線から異常時使用回線に切り替えるための制御信号を送信する制御板を備え、
前記第１及び第２のインタフェースボードの共通部は、前記制御板からの制御信号を受信したとき、前記子局装置に対して、使用回線を切り替える命令を送信し、該子局装置から送信された、該子局装置の下位側装置のＭＡＣアドレスを送信元アドレスとしたフレーム信号を受信し、該フレーム信号を上位スイッチ装置へ送信する構成を有することを特徴とする回線二重化ＧＥ−ＰＯＮシステム。
【請求項３】
前記親局装置は、正常時使用回線から異常時使用回線に切り替えたとき、前記子局装置の下位側装置のＭＡＣアドレスを送信先アドレスとするフレーム信号を異常時使用回線から前記子局装置に対して送信し、
前記子局装置は、前記フレーム信号を異常時使用回線から受信したとき、該フレーム信号の送信先アドレスを送信元アドレスとしたフレーム信号を、前記親局装置に異常時使用回線から折り返し送信し、
前記親局装置は、前記子局装置から送信されたフレーム信号を、前記上位スイッチ装置に送信することを特徴とする請求項１又は２に記載の回線二重化ＧＥ−ＰＯＮシステム。
【発明の詳細な説明】
【技術分野】
【０００１】
本発明は、回線二重化ＧＥ−ＰＯＮ（Ｇｉｇａｂｉｔ  Ｅｔｈｅｒｎｅｔ（登録商標）−Ｐａｓｓｉｖｅ  Ｏｐｔｉｃａｌ  Ｎｅｔｗｏｒｋ）システムに関し、ＧＥ−ＰＯＮシステムにおいて、ＰＯＮ区間の通信状況劣化によるＰＯＮ区間通信不良又は無通信状態を防ぐことができる回線二重化ＧＥ−ＰＯＮシステムに関する。
【背景技術】
【０００２】
ＧＥ−ＰＯＮは、光ファイバケーブル及びフォトカプラを用い、１台の局側回線終端装置（ＯＬＴ：Ｏｐｔｉｃａｌ  Ｌｉｎｅ  Ｔｅｒｍｉｎａｌ）に複数台の加入者側回線終端装置（ＯＮＵ：ＯＰＴＩＣＡＬ  ＮＥＴＷＯＲＫ  ＵＮＩＴ）を接続し、局側回線終端装置（ＯＬＴ）と加入者側回線終端装置（ＯＮＵ）との間で、ギガビット／ｓ単位の通信速度の双方向通信を可能にするネットワークである。
【０００３】
ＧＥ−ＰＯＮの通常の運用時において、光ファイバケーブルが劣化し、或いは通信路中のフォトカプラ等に異常が発生して、局側から加入者宅側への下り方向の通信又は加入者側から局側への上り方向の通信が劣化する場合がある。このとき、劣化した局側回線終端装置（ＯＬＴ）と加入者側回線終端装置（ＯＮＵ）との間の信号が、同一ＧＥ−ＰＯＮ区間内の他の加入者側回線終端装置（ＯＮＵ）の通信に悪影響を与える可能性がある。
【０００４】
このような状況が起こらないようにするためには、通信路を二重化するなどして通信回線の信頼性を上げることが必要である。しかし、通信路の二重化には、局側回線終端装置（ＯＬＴ）及び加入者側回線終端装置（ＯＮＵ）に接続された上位装置の通信方式に依存して様々な問題点が発生し、その問題点の回避を含めた実現手段が要求されている。
【０００５】
ＰＯＮシステムにおいて、加入者側への物理的経路の二重化を実現する通信装置に関する発明が下記の特許文献１に記載されている。同文献に記載の発明は、少なくとも２つの加入者側回線終端装置（ＯＮＵ）を局側回線終端装置（ＯＬＴ）に接続し、該２つの加入者側回線終端装置（ＯＮＵ）のうちの何れか一方を、スパニングツリープロトコルを用いて選択する、或いは該２つの加入者側回線終端装置（ＯＮＵ）をリンクアグリゲーションプロトコルにより接続するというものである。
【特許文献１】特開２００４−１７９７２３号公報
【発明の開示】
【発明が解決しようとする課題】
【０００６】
ＰＯＮ区間内の光ファイバケーブルやフォトカプラ等の通信媒体の劣化により、該劣化した媒体に接続されている加入者側回線終端装置（ＯＮＵ）自体に通信不良が発生し、また、局側回線終端装置（ＯＬＴ）における動的帯域割り当て（ＤＢＡ：Ｄｙｎａｍｉｃ  ｂａｎｄｗｉｄｔｈ  ａｌｌｏｃａｔｉｏｎ）の計算が正常に行なわれず、同一ＰＯＮ区間内の他の加入者側回線終端装置（ＯＮＵ）に悪影響を及ぼすことがある。
【０００７】
従来のＰＯＮシステムでは、通信信号にエラーが検出された回線に接続されていた加入者側回線終端装置（ＯＮＵ）に対して帯域を与えないことにより、他加入者側回線終端装置（ＯＮＵ）へ与える悪影響を防ぐと言う手段が採られていた。しかし、この手段では、劣化回線に接続されていた加入者側回線終端装置（ＯＮＵ）の通信不良を救済することはできない。
【０００８】
また、局側と加入者側とを通信回線を２重化し、その間をスパニングツリープロトコル又はリンクアグリゲーションプロトコルにより接続するためには、それらの複雑なプロトコル処理手順を実行する処理機能部を具備する必要があり、簡易な手段で実現することが困難である。
【０００９】
本発明は、親局装置と子局装置との間を常に２つの通信回線で接続し、一方の回線が通信劣化を引き起こしても、もう一方の正常に動作する回線による通信を可能にし、一方の回線の品質劣化による通信不良を救うとともに、それらの切り替え処理を簡易な手段で実現することを目的とする。
【課題を解決するための手段】
【００１０】
本発明による回線二重化ＧＥ−ＰＯＮシステムは、１つの親局装置と複数の子局装置とを、複数の光ファイバケーブル及びフォトカプラを用いた通信回線により接続したＧＥ−ＰＯＮシステムにおいて、前記親局装置と少なくとも１つの前記子局装置とを、正常時使用回線及び異常時使用回線の２つの通信回線で接続し、前記２つの通信回線で親局装置と接続された子局装置は、前記正常時使用回線に接続された正常時送受信部と、前記異常時使用回線に接続された異常時送受信部を備え、前記正常時送受信部及び異常時送受信部は、前記親局装置から送信された下り方向信号の信号劣化検出を行う信号受信劣化検出部を有し、前記正常時送受信部の信号受信劣化検出部から入力される信号受信劣化検出状況を基に、使用回線を切り替える系選択信号を出力すると共に、前記親局装置の上位スイッチ装置に、自装置の下位側装置のＭＡＣアドレスを送信元アドレスとしたフレーム信号を送信する共通部を備え、前記共通部から出力される系選択信号により、ユーザインタフェースから入力されるフレーム信号を前記正常時送受信部又は異常時送受信部の何れか一方の送信部に出力する送受信系選択スイッチ部を備えたことを特徴とする。
【００１１】
また、前記２つの通信回線で１つの子局装置と接続された親局装置は、前記正常時使用回線及び異常時使用回線に接続された第１及び第２のインタフェースボードを備え、前記第１及び第２のインタフェースボードは、前記子局装置から送信された上り方向信号の信号劣化検出を行う信号劣化検出部及び共通部をそれぞれ有し、前記信号劣化検出部から入力される信号受信劣化検出状況を基に、前記第１及び第２のインタフェースボードに対して、使用回線を正常時使用回線から異常時使用回線に切り替えるための制御信号を送信する制御板を備え、前記第１及び第２のインタフェースボードの共通部は、前記制御板からの制御信号を受信したとき、前記子局装置に対して、使用回線を切り替える命令を送信し、該子局装置から送信された、該子局装置の下位側装置のＭＡＣアドレスを送信元アドレスとしたフレーム信号を受信し、該フレーム信号を上位スイッチ装置へ送信する構成を有することを特徴とする。
【００１２】
また、前記親局装置は、正常時使用回線から異常時使用回線に切り替えたとき、前記子局装置の下位側装置のＭＡＣアドレスを送信先アドレスとするフレーム信号を異常時使用回線から前記子局装置に対して送信し、前記子局装置は、前記フレーム信号を異常時使用回線から受信したとき、該フレーム信号の送信先アドレスを送信元アドレスとしたフレーム信号を、前記親局装置に異常時使用回線から折り返し送信し、前記親局装置は、前記子局装置から送信されたフレーム信号を、前記上位スイッチ装置に送信することを特徴とする。
【発明の効果】
【００１３】
本発明によれば、親局装置と子局装置は常に２つの回線で接続され、一方の回線が通信劣化又は破損を起こしたとき、もう一方の回線に物理的に接続を切り替え、該切り替えを行った回線に接続されている子局装置の下位側装置のＭＡＣアドレスを、上位スイッチ装置に通知する構成としたことにより、一方の回線が通信劣化を引き起こしても、もう一方の正常な回線による通信が可能となり、回線の品質劣化による通信不良を救うことができるとともに、それらの切り替え処理を、複雑なプロトコルによる処理手順を実行することなく、簡易な手段で素早く実行することが可能となる。
【発明を実施するための最良の形態】
【００１４】
図１は本発明によるＧＥ−ＰＯＮの二重化システムの構成を示す。同図において、局側に設置されるＧＥＰＯＮ親局装置１−２は、レイヤ２スイッチ等の上位スイッチ装置１−１を介してバックボーン（通信事業者間を結ぶ大容量の基幹通信回線）に接続され、光ファイバケーブルで送受される光信号を電気信号に変換する機能を有する複数のインタフェースボード（ＰＩＦ＃１，ＰＩＦ＃２，・・・）を実装する。
【００１５】
上記ＧＥＰＯＮ親局装置１−２の各インタフェースボード（ＰＩＦ＃１，ＰＩＦ＃２，・・・）は、それぞれ光ファイバケーブル１−３及びフォトカプラ１−４を介して、複数の加入者側のＧＥＰＯＮ子局装置１−５内の光モジュール（ＭＤＬ＃１，ＭＤＬ＃２）と接続される。
【００１６】
図１に示すように、ＧＥＰＯＮ子局装置１−５は、２つの光ファイバケーブルを介してＧＥＰＯＮ親局装置１−２に接続された２つの光モジュール（ＭＤＬ＃１，ＭＤＬ＃２）を備え、そのうちの一方、例えば光モジュール（ＭＤＬ＃１）を正常時に使用する通信回線用として用意し、他方、例えば光モジュール（ＭＤＬ＃２）を異常時に使用する通信回線用に用意しておく。
【００１７】
そして、通常時に使用している通信回線の通信品質が何らかの理由で劣化し、通信に異常をきたす状態となったことを認識すると、異常時使用回線側に使用回線を切り替える処理を行い、通信の劣化状態からの救済を図る。通信劣化状態の認識は、ＧＥＰＯＮ子局装置１−５においては、下り方向通信データのＣＲＣ（Ｃｙｃｌｉｃ  Ｒｅｄｕｎｄａｎｃｙ  Ｃｈｅｃｋ：巡回冗長検査）符号チェックによるエラーの検知や、パケットロス検出等により行い、ＧＥＰＯＮ親局装置１−２においては、上り方向通信データのＣＲＣ符号チェックによるエラーの検知や、ＧＥＰＯＮ子局装置１−５からのハンドシェイク用信号（ＯＡＭフレーム）の無状態検出等により認識する。
【００１８】
これらの通信劣化状態検出は、所定時間内における劣化状態発生回数が或る一定の閾値を超えたときに、通信異常状態をきたす通信劣化状態として認識し、異常時使用回線側に使用回線を切り替える処理を行う構成とすることができる。
【００１９】
ここで、正常時使用回線から異常時使用回線への切り替えを行うときに問題となるのが、ＧＥ−ＰＯＮの上位側に接続されている上位スイッチ装置１−１において、下位側通信回線の切り替えに伴って、該下位側通信回線の接続先の通信機器のＭＡＣ（Ｍｅｄｉａ  Ａｃｃｅｓｓ  Ｃｏｎｔｒｏｌ）アドレスと、該下位側通信回線が接続された上位スイッチ装置１−１のポート番号との対応付け（ＭＡＣアドレスの学習）を如何に行うかということである。
【００２０】
上位スイッチ装置１−１では、通常、下位側通信回線機器に接続されているＭＡＣアドレスを学習して保持しておき、各ポートに入力されてくる上り方向フレーム信号のうち、未学習のＭＡＣアドレスを送信元アドレスとしたフレーム信号は、誤りフレーム信号であるとしてバックボーン側に送信しない方式を取っていることが多い。
【００２１】
そのため、正常時使用回線の通信劣化状態を検出して、該回線から異常時使用回線への切り替えを行ったとき、ＧＥ−ＰＯＮ上では回線状態が良好化状態になったとしても、異常時使用回線のポート番号と送信元ＭＡＣアドレスとの対応付けが、既に学習して保持している対応付けと異なるため、未学習フレーム信号を受信したこととなり、上位スイッチ１−１において該フレーム信号を破棄してしまう場合がある。
【００２２】
このようなことが発生するのを避けるために、ＧＥ−ＰＯＮ内の使用回線を正常時使用回線から異常時使用回線に切り替えたとき、ＧＥＰＯＮ親局装置１−２は、正常回線に接続されていた下位側装置のＭＡＣアドレスを送信先アドレスとするフレーム信号を数フレーム分、異常時使用回線からＧＥＰＯＮ子局装置１−５側に送信する。ＧＥＰＯＮ子局装置１−５では、上記フレーム信号を受信すると、該フレーム信号の送信先アドレスを送信元アドレスに入れ替えたフレーム信号を数フレーム分、異常時使用回線から折り返し送信する。
【００２３】
これにより、上位スイッチ装置１−１では、異常時使用回線の接続ポートの番号と、該接続ポートに接続されたＧＥＰＯＮ子局装置１−５の下位側装置のＭＡＣアドレスとの対応付けを学習し、上位スイッチ装置１−１においても使用回線の切り替えが認識され、上位スイッチ装置１−１でのフレーム信号破棄を避けることが可能となる。
【００２４】
また、使用回線を正常時使用回線から異常時使用回線に切り替えた後は、ＧＥＰＯＮ親局装置１−２からＧＥＰＯＮ子局装置１−５に、光インタフェース部分以外の設定に関して、正常時使用回線使用時と全て同一の設定情報を書き込んで、ＧＥＰＯＮ子局装置１−５の設定を行うことにより、ＧＥＰＯＮ子局装置１−５データ送受信機能を制御する。
【００２５】
図２にＧＥＰＯＮ親局装置（ＯＬＴ）の構成を示す。ＧＥＰＯＮ親局装置（ＯＬＴ）は、同図に示すように、ｎ個のインタフェースボード（ＩＦ＃１，ＩＦ＃２，・・・ＩＦ＃ｎ）及びＯＬＴ制御板を実装する。ここで、第１のインタフェースボード（ＩＦ＃１）及び第２のインタフェースボード（ＩＦ＃２）が、１つのＧＥＰＯＮ子局装置に対する正常時使用回線及び異常時使用回線に接続されているものとする。
【００２６】
各インタフェースボード（ＩＦ＃１，ＩＦ＃２，・・・）において、光受信部２−１は、ＰＯＮインタフェースの光信号を受信する光モジュールであり、光信号を電気信号に変換する。光送信部２−２は、電気信号をＰＯＮインタフェースの光信号に変換して送信する光モジュールである。
【００２７】
シリアル／パラレル変換部２−３は、光受信部２−１から出力される電気シリアル信号を電気パラレル信号に変更する。パラレル／シリアル変換部２−４は、共通部（信号処理部）２−６により処理されたパラレル信号をシリアルに変換し、信号劣化検出部２−５へ出力する。
【００２８】
信号劣化検出部２−５は、シリアル／パラレル変換部２−３から出力されるパラレル信号のＣＲＣ符号エラーチェック又はパケットロス数の計算等による信号劣化検出を行い、所定時間内における信号劣化発生回数が或る一定の閾値を超えたことを検出したとき、受信信号の劣化状況を共通部２−６に通知する。
【００２９】
共通部２−６は、信号劣化検出部２−５から入力される受信信号の劣化状況をＯＬＴ制御版２−７に通知し、また、ＧＥＰＯＮ子局装置からのＯＡＭ（Ｏｐｅｒａｔｉｏｎ，Ａｄｍｉｎｉｓｔｒａｔｉｏｎ  ａｎｄ  Ｍａｉｎｔｅｎａｎｃｅ）フレームを処理し、ＯＡＭフレーム内にＰＯＮ区間内の受信劣化情報が含まれている場合、ＯＬＴ制御板２−７にその情報を通知する。
【００３０】
また、共通部２−６は、シリアル／パラレル変換部２−３から出力されるパラレル信号をＣＮＩインタフェースの上位スイッチ装置へ送出し、該上位スイッチ装置から入力されるパラレル信号をパラレル／シリアル変換部２−４へ送出する。
【００３１】
ＯＬＴ制御版２−７は、受信信号の劣化状況の通知情報を基に、第１及び第２のインタフェースボード（ＩＦ＃１，ＩＦ＃２）の共通部２−６に対して、使用回線を正常時使用回線から異常時使用回線に切り替えるための制御信号を送信する。
【００３２】
図３にＧＥＰＯＮ子局装置（ＯＮＵ）の構成を示す。ＧＥＰＯＮ子局装置（ＯＮＵ）は、同図に示すように、第１及び第２の送受信部（＃１，＃２）を備える。ここで、第１の送受信部（＃１）を正常時に使用し、第２の送受信部（＃２）を異常時に使用するものとする。
【００３３】
第１及び第２の送受信部（＃１，＃２）において、送信部３−１は、ＰＯＮインタフェースの接続ポートを有し、ユーザインタフェースから共通部３−７を経由して入力されるシリアル電気信号を、ＰＯＮインタフェースの光信号に変換して送信光モジュールを備える。
【００３４】
受信部３−２は、ＰＯＮインタフェースの接続ポートを有し、ＰＯＮインタフェースの光信号を受信し、電気信号に変換する光モジュールを備える。受信シリアル／パラレル変換部３−３は、受信部３−２から出力される電気シリアル信号を電気パラレル信号に変換する。
【００３５】
信号受信劣化検出部３−４は、受信シリアル／パラレル変換部３−３から出力されるパラレル電気信号のＣＲＣエラーチェック又はパケットロス数の計算等による信号劣化検出を行い、所定時間内における信号劣化発生回数が或る一定の閾値を超えたときに、受信信号の劣化状態を共通部３−７に通知する。
【００３６】
共通部３−７は、ＧＥＰＯＮ子局装置（ＯＮＵ）の制御、信号処理、正常時使用回線の品質劣化時の使用回線切り替え制御等を行い、信号受信劣化検出部３−４から入力される信号受信劣化検出状況を基に、異常時使用回線に使用回線を切り替える系選択信号を送受信系選択スイッチ部３−５へ出力する。
【００３７】
送信パラレル／シリアル変換部３−６は、ユーザインタフェースから入力され、共通部３−７により信号処理されたパラレル信号をシリアルに変換し、送受信系選択スイッチ部３−５へ出力する。送受信系選択スイッチ部３−５は、共通部３−７からの系選択信号に従い、送信パラレル／シリアル変換部３−６から出力されるシリアルフレーム信号を、第１の送受信部（＃１）又は第２の送受信部（＃２）の何れかの送信部３−１に出力する。
【００３８】
次に、図４及び図５を参照して正常時使用回線から異常時使用回線に切り替える処理のフローについて説明する。図４はＧＥＰＯＮ子局装置で回線劣化を検出した場合の処理フローを示し、図５はＧＥＰＯＮ親局装置で回線劣化を検出した場合の処理フローを示している。
【００３９】
図４に示すように、正常通信状態（４−１）では、ＧＥＰＯＮ子局装置はＧＥＰＯＮ親局装置と、正常時使用回線により、ＰＯＮ区間内のハンドシェイクをＯＡＭフレームのやり取りで行っており、このＯＡＭフレーム内には、ＧＥＰＯＮ子局装置及びＧＥＰＯＮ親局装置の状態情報も含まれている。
【００４０】
ＧＥＰＯＮ子局装置の信号受信劣化検出部３−４にて、ＧＥＰＯＮ親局装置から到来する下り方向信号のＣＲＣ符号エラーチェック又はパケットロス数の計算等による信号劣化検出を行い（４−２）、所定時間内における信号劣化発生回数が或る一定の閾値を超えたときに、共通部３−７に受信劣化情報を通知する（４−３）。
【００４１】
共通部３−７は、受信劣化情報を受信すると、ＯＡＭフレームを生成して、ＧＥＰＯＮ親局装置に、正常時使用回線（＃１系）の回線劣化情報を通知し（４−４）、また、共通部３−７は回線切り替え命令を発し、送受信系選択スイッチ部３−５に使用回線を切り替える系選択信号を送出する（４−５）。
【００４２】
送受信系選択スイッチ部３−５は、共通部３−７からの系選択信号により、異常時使用回線に使用回線を切り替える（４−６）。その後、自装置の下位側装置のＭＡＣアドレス宛てにＧＥＰＯＮ親局装置から送信されたフレーム信号に対して、該フレーム信号の送信先アドレスを送信元アドレスに入れ替えたフレーム信号を、ＧＥＰＯＮ親局装置の上位スイッチ装置へ送信する（４−７）。
【００４３】
ＧＥＰＯＮ親局装置の上位スイッチ装置では、異常時使用回線を通してＧＥＰＯＮ子局装置から受信された上記フレーム信号の送信元ＭＡＣアドレスと、該異常時使用回線が接続されたポートのポート番号との対応付けを学習し、回線が切り替わったことを自動的に認識する（４−８）。
【００４４】
ＧＥＰＯＮ親局装置で回線劣化を検出した場合、図５に示すように、正常通信状態（５−１）では、ＧＥＰＯＮ親局装置はＧＥＰＯＮ子局装置と、正常時使用回線により、ＰＯＮ区間内のハンドシェイクをＯＡＭフレームのやり取りで行っている。ＧＥＰＯＮ親局装置の信号劣化検出部２−５にて、ＧＥＰＯＮ子局装置から到来する上り方向信号のＣＲＣ符号エラーチェック又はパケットロス数の計算等による信号劣化検出を行い（５−２）、所定時間内における信号劣化発生回数が或る一定の閾値を超えたときに、共通部２−６に受信劣化情報を通知する（５−３）。
【００４５】
共通部２−６は、受信劣化情報を受信すると、受信信号の劣化状況をＯＬＴ制御版２−７に通知し、ＯＬＴ制御版２−７は、第１及び第２のインタフェースボード（ＩＦ＃１，ＩＦ＃２）の共通部２−６に対して、使用回線を正常時使用回線から異常時使用回線に切り替え制御信号を送信し、共通部２−６は、回線切り替え命令を発する（５−４）。
【００４６】
共通部２−６は、ＯＡＭフレームを生成して、ＧＥＰＯＮ子局装置に、使用回線を異常時使用回線に切り替える回線切り替え命令を送信する（５−５）。また、ＧＥＰＯＮ親局装置では、異常時使用回線用の第２のインタフェースボード（ＩＦ＃２）の側がアクティブ状態に切り替わる（５−６）。
【００４７】
その後、当該ＧＥＰＯＮ子局装置の下位側装置のＭＡＣアドレス宛てにＧＥＰＯＮ親局装置から送信したフレーム信号に対して、ＧＥＰＯＮ子局装置から該フレーム信号の送信先アドレスを送信元アドレスに入れ替えたフレーム信号を受信し、該フレーム信号を上位スイッチ装置へ送信する（５−７）。
【００４８】
ＧＥＰＯＮ親局装置の上位スイッチ装置では、異常時使用回線を通してＧＥＰＯＮ子局装置から受信された上記フレーム信号の送信元ＭＡＣアドレスと、該異常時使用回線が接続されたポートのポート番号との対応付けを学習し、回線が切り替わったことを自動的に認識する（５−８）
【図面の簡単な説明】
【００４９】
【図１】本発明のＧＥ−ＰＯＮの二重化システムの構成を示す図である。
【図２】本発明のＧＥＰＯＮ親局装置（ＯＬＴ）の構成を示す図である。
【図３】本発明のＧＥＰＯＮ子局装置（ＯＮＵ）の構成を示す図である。
【図４】本発明によるＧＥＰＯＮ子局装置で回線劣化を検出した場合の処理フローを示す図である。
【図５】本発明によるＧＥＰＯＮ親局装置で回線劣化を検出した場合の処理フローを示す図である。
【符号の説明】
【００５０】
１−１  上位スイッチ装置
１−２  ＧＥＰＯＮ親局装置
１−３  光ファイバケーブル
１−４  フォトカプラ
１−５  ＧＥＰＯＮ子局装置
【図１】
2008227782.tif 000003
【図２】
2008227782.tif 000004
【図３】
2008227782.tif 000005
【図４】
2008227782.tif 000006
【図５】
2008227782.tif 000007